(57)【要約】【課題】  本発明は入浴するだけで身体の汚れを自動的に落とすことができる風呂および風呂用洗浄装置を得るにある。【解決手段】  浴槽と、この浴槽の上部あるいは浴槽の上部位置に位置するように取付けられた、入浴者が手でつかむあるいは触ることができる導電性の−あるいは＋の電極体、この−あるいは＋の電極体に−あるいは＋極を接続し、前記浴槽のお湯内に位置する＋あるいは−の電極体に＋あるいは−極を接続した微弱電流を供給する微弱電流供給装置とからなる風呂用洗浄装置とで風呂を構成している。【選択図】  図１
2005279238.tif 000002
【特許請求の範囲】
【請求項１】
浴槽と、この浴槽の上部あるいは浴槽の上部位置に位置するように取付けられた、入浴者が手でつかむあるいは触ることができる導電性の−あるいは＋の電極体、この−あるいは＋の電極体に−あるいは＋極を接続し、前記浴槽のお湯内に位置する＋あるいは−の電極体に＋あるいは−極を接続した微弱電流を供給する微弱電流供給装置とからなる風呂用洗浄装置とを備えることを特徴とする風呂。
【請求項２】
浴槽と、この浴槽の上部あるいは浴槽の上部位置に位置するように取付けられたケース体、このケース体内に設けられた商用電源から直流の微弱電流を供給する微弱電流供給装置、この微弱電流供給装置の−あるいは＋極と接続された前記ケース体に取付けられた、入浴者が手でつかむあるいは触ることができる導電性の−あるいは＋の電極体、前記微弱電流供給装置の＋あるいは−極と接続された、前記浴槽内のお湯内に位置される＋あるいは−の電極体とからなる風呂用洗浄装置。
【請求項３】
浴槽の上部あるいは浴槽の上部位置に位置するように取付けられる、入浴者が手でつかむあるいは触ることができる導電性の−あるいは＋の電極体と、この−あるいは＋の電極体に−あるいは＋極を接続し、前記浴槽のお湯内に位置する＋あるいは−の電極体に＋あるいは−極を接続された微弱電流を供給する微弱電流供給装置とからなることを特徴とする風呂用洗浄装置。  
【請求項４】
浴槽の上部あるいは浴槽の上部位置に位置するように取付けられるケース体と、このケース体内に設けられた商用電源から直流の微弱電流を供給する微弱電流供給装置と、この微弱電流供給装置の−あるいは＋極と接続された前記ケース体に取付けられた、入浴者が手でつかむあるいは触ることができる導電性の−あるいは＋の電極体と、前記微弱電流供給装置の＋あるいは−極と接続された、前記浴槽内のお湯内に位置される＋あるいは−の電極体とからなることを特徴とする風呂用洗浄装置。
【請求項５】
微弱電流供給装置は＋極と−極とを切り替えて直流の微弱電流を供給することができる電極切り替え機構を備えていることを特徴とする請求項１ないし請求項４いずれかに記載の風呂用洗浄装置。
【発明の詳細な説明】
【技術分野】
【０００１】
本発明は入浴するだけで身体の洗浄効果が得られる風呂および風呂用洗浄装置に関する。
【背景技術】
【０００２】
従来のジャグジー風呂や電気風呂は入浴者をリラックスさせたり、筋肉をほぐしたりするものである。
【０００３】
このため、身体の汚れを落とすためには、石鹸やボディシャンプーで洗わなければならないという欠点があった。
【特許文献１】特になし。
【発明の開示】
【発明が解決しようとする課題】
【０００４】
本発明は以上のような従来の欠点に鑑み、入浴するだけで身体の汚れを自動的に落とすことができるとともに、身体にかかるマイナスの電位で身体をマイナスイオン化して血液をきれいにしたりして、健康の増進を図ることができる風呂および風呂用洗浄装置を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は浴槽と、この浴槽の上部あるいは浴槽の上部位置に位置するように取付けられた、入浴者が手でつかむあるいは触ることができる導電性の−あるいは＋の電極体、この−あるいは＋の電極体に−あるいは＋極を接続し、前記浴槽のお湯内に位置する＋あるいは−の電極体に＋あるいは−極を接続した微弱電流を供給する微弱電流供給装置とからなる風呂用洗浄装置とで風呂を構成している。
【０００７】
また、本発明は浴槽と、この浴槽の上部あるいは浴槽の上部位置に位置するように取付けられたケース体、このケース体内に設けられた商用電源から直流の微弱電流を供給する微弱電流供給装置、この微弱電流供給装置の−あるいは＋極と接続された前記ケース体に取付けられた、入浴者が手でつかむあるいは触ることができる導電性の−あるいは＋の電極体、前記微弱電流供給装置の＋あるいは−極と接続された、前記浴槽内のお湯内に位置される＋あるいは−の電極体とで風呂用洗浄装置を構成している。
【発明の効果】
【０００８】
以上の説明から明らかなように、本発明にあっては次に列挙する効果が得られる。
【０００９】
（１）浴槽に入って、−あるいは＋の電極体をつかむあるいは触ることにより、微弱電流供給装置からの微弱な直流電流を入浴者を介して流すことができる。
したがって、電気分解の状態となり、入浴者の身体の表面の汚れを身体から剥し、洗浄することができるとともに、身体にかかるマイナスあるいはプラスの電位で身体をマイナスイオン化あるいはプラスイオン化して血液をきれいにしたりして、健康の増進を図ることができる。
【００１０】
（２）前記（１）によって、微弱電流を使用するので、安全に使用することができる。
【００１１】
（３）前記（１）によって、入浴者が入浴状態で−あるいは＋極となるように部弱電流を供給するだけであるので、構造が簡単で、容易に製造することができる。
【００１２】
（４）請求項２、３、４も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図４に示す本発明を実施するための最良の第１の形態において、１は入浴するだけで身体の汚れを落とす洗浄が可能な本発明の風呂で、この風呂１は絶縁材製の浴槽２と、この浴槽２内へお湯３を供給するお湯供給装置４と、前記浴槽２に取付けられた風呂用洗浄装置５とで構成されている。
【００１５】
前記お湯供給装置４は一般に使用されているものであれば、どんなものでもよく、お湯と水が供給できるもの、これに追い焚きできるもの等が使用される。
【００１６】
前記風呂用洗浄装置５は前記浴槽２の上部に取付けられたケース体６と、このケース体６内に設けられたスイッチ７を介して、交流商用電源から直流の微弱電流を供給する微弱電流供給装置８と、この微弱電流供給装置８の−極と接続された前記ケース体６に取付けられた、入浴者９が手でつかむことができる導電性のバー部材状の−の電極体１０と、前記微弱電流供給装置８の＋極と接続された、前記浴槽２内のお湯３内に位置される＋の電極体１１とで構成されている。
【００１７】
上記構成の風呂１は、入浴時に風呂用洗浄装置５のスイッチ７をＯＮにし、微弱電流が流れるようにして入浴者９が浴槽２につかり、−の電極体１０を手でつかむことにより、微弱電流が入浴者９、浴槽２内のお湯３を介して流れる。
このため、入浴者が電気分解の−電極と同様となり、身体の表面の汚れを身体より剥し、洗浄することができる。
また、微細電流であるため、電流を感じることなく安全に入浴することができるとともに、−の電極体１０を手摺として使用できる。
[発明を実施するための異なる形態]
【００１８】
次に、図５ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図５ないし図７に示す本発明を実施するための第２の形態において、前記本発明を実施するための最良の第１の形態と主に異なる点は、浴槽２の上部位置の浴室１２の壁面１２ａに風呂用洗浄装置５のケース体６を取付けた点で、このように構成した風呂１Ａにしても、前記本発明を実施するための最良の第１の形態と同様な作用効果が得られる。
【００２０】
図８ないし図１０に示す本発明を実施するための第３の形態において、前記本発明を実施するための第２の形態と主に異なる点は、浴槽２の上部にバー部材状の−の電極体１０を取付けた風呂用洗浄装置５Ａを用いた点で、このような風呂用洗浄装置５Ａを用いた風呂１Ｂにしても、前記本発明を実施するための第２の形態と同様な作用効果が得られる。
【００２１】
図１１ないし図１３に示す本発明を実施するための第４の形態において、前記本発明を実施するための最良の第１の形態と主に異なる点は、微弱電流を使用者の好みに応じて調整することができる調整ボリューム１３を取付けた微弱電流供給装置８Ａを使用した風呂用洗浄装置５Ｂを用いた点で、このような風呂用洗浄装置５Ｂを用いて構成した風呂１Ｃにしても、前記本発明を実施するための最良の第１の形態と同様な作用効果が得られる。
【００２２】
図１４ないし図１６に示す本発明を実施するための第５の形態において、前記本発明を実施するための最良の第１の形態と主に異なる点は、握り突起状の−の電極体１０Ａ、１０Ａと、充電することができるバッテリー１４を用いた微弱電流供給装置８Ｂを使用した風呂用洗浄装置５Ｃを用いた点で、このような風呂用洗浄装置５Ｃを用いて構成した風呂１Ｄにしても、前記本発明を実施するための最良の第１の形態と同様な作用効果が得られる。
なお、本発明を実施するための形態では、充電することができるバッテリー１４を用いるものについて説明したが、本発明はこれに限らず、乾電池を使用してもよい。
【００２３】
図１７および図１８に示す本発明を実施するための第６の形態において、前記本発明を実施するための最良の第１の形態と主に異なる点は、浴槽２内のお湯３内に位置させる−の電極体１５と、ケース体６に取付けられた入浴者９が手でつかむことができる導電性のバー部材状の＋の電極体１６とを用いた点で、このように構成した風呂用洗浄装置５Ｄを用いて構成した風呂１Ｅにしても、前記本は地名を実施するための最良の第１の形態と同様な作用効果が得られる。
【００２４】
図１９ないし図２２に示す本発明を実施するための第７の形態において、前記本発明を実施するための第６の形態と主に異なる点は、＋極を−極に、−極を＋極に切り替えて直流の微弱電流を供給することができる電極切り替え機構１７を備えた微弱電流供給装置８Ｃを用いた点で、このような部弱電流供給装置８Ｃを使用した風呂用洗浄装置５Ｅを用いて構成した風呂１Ｆにしても、前記本発明を実施するための第６の形態と同様な作用効果が得られるとともに、浴槽２内のお湯３内に位置する電極体１５の機能低下を−から＋にすることにより、容易に防止することができる。
【００２５】
なお、前記本発明を実施するための各形態では風呂用洗浄装置を浴槽２の上部や該部位の壁面に取り付けるものについて説明したが、本発明はこれに限らず、入浴者９が手でつかむことができる導電性のバー部材状の−あるいは＋の電極体が浴槽２の上部に位置できれば、どんな場所に設置しても良い。
【産業上の利用可能性】
【００２６】
本発明は風呂あるいは風呂用洗浄装置を製造する産業、あるいは使用する産業で利用される。
【図面の簡単な説明】
【００２７】
【図１】本発明を実施するための最良の第１の形態の使用状態の説明図。
【図２】本発明を実施するための最良の第１の形態の平面図。
【図３】図２の３−３線に沿う断面図。
【図４】本発明を実施するための最良の第１の形態の概略回路図。
【図５】本発明を実施するための第２の形態の使用状態の説明図。
【図６】本発明を実施するための第２の形態の平面図。
【図７】図６の７−７線に沿う断面図。
【図８】本発明を実施するための第３の形態の使用状態の説明図。
【図９】本発明を実施するための第３の形態の平面図。
【図１０】図９の１０−１０線に沿う断面図。
【図１１】本発明を実施するための第４の形態の使用状態の説明図。
【図１２】本発明を実施するための第４の形態の平面図。
【図１３】図１２の１３−１３線に沿う断面図。
【図１４】本発明を実施するための第５の形態の使用状態の説明図。
【図１５】本発明を実施するための第５の形態の平面図。
【図１６】図１５の１６−１６線に沿う断面図。
【図１７】本発明を実施するための第６の形態の使用状態の説明図。
【図１８】本発明を実施するための第６の形態の平面図。
【図１９】本発明を実施するための第７の形態の使用状態の説明図。
【図２０】本発明を実施するための第７の形態の平面図。
【図２１】本発明を実施するための異なる使用状態の説明図。
【図２２】本発明を実施するための第７の形態の概略回路図。
【符号の説明】
【００２８】
１、１Ａ、１Ｂ、１Ｃ、１Ｄ、１Ｅ、１Ｆ：風呂、
２：浴槽、                    ３：お湯、
４：お湯供給装置、
５、５Ａ、５Ｂ、５Ｃ、５Ｄ、５Ｅ：風呂用洗浄装置、
６：ケース体、                ７：スイッチ、
８、８Ａ、８Ｂ、８Ｃ：微弱電流供給装置、
９：入浴者、                  １０、１０Ａ：−電極体、
１１：＋電極体、              １２：浴室、
１３：調整ボリューム、        １４：バッテリー、
１５：−の電極体、            １６：＋の電極体、
１７：電極切り替え機構。
【図１】
2005279238.tif 000003
【図２】
2005279238.tif 000004
【図３】
2005279238.tif 000005
【図４】
2005279238.tif 000006
【図５】
2005279238.tif 000007
【図６】
2005279238.tif 000008
【図７】
2005279238.tif 000009
【図８】
2005279238.tif 000010
【図９】
2005279238.tif 000011
【図１０】
2005279238.tif 000012
【図１１】
2005279238.tif 000013
【図１２】
2005279238.tif 000014
【図１３】
2005279238.tif 000015
【図１４】
2005279238.tif 000016
【図１５】
2005279238.tif 000017
【図１６】
2005279238.tif 000018
【図１７】
2005279238.tif 000019
【図１８】
2005279238.tif 000020
【図１９】
2005279238.tif 000021
【図２０】
2005279238.tif 000022
【図２１】
2005279238.tif 000023
【図２２】
2005279238.tif 000024